(57)【特許請求の範囲】
【請求項１】
歯科用材料を治療すべき歯に直接供給するための歯科用シリンジであって、プラスチックバレルが貫通孔を有し、該貫通孔にプランジャーが往復動可能に嵌入されており、前記プラスチックバレルがバレル開口を画定する前端部を有し；
カートリッジホルダーが前記前端部に前記前端部開口とインラインに結合し、前記カートリッジホルダーが後部と前方伸長カートリッジシートとを含み、前記カートリッジシートが前記バレル前端部開口を越えて突出し、前記カートリッジホルダーの前記後部が前記プラスチックバレルの材料中に埋封され、前記カートリッジシートがその前進端部におけるインターンドフランジで終わる、実質的にＵ形状であり、前記フランジが開放端部によって形成されたノッチを有し、前記ノッチがその中に収納するのに適したカートリッジ部分の直径を受容する大きさである歯科用シリンジ。
【請求項２】
前記カートリッジホルダーが金属製である請求項１記載の歯科用シリンジ。
【請求項３】
前記プラスチックバレルが金属ホルダーの膨張収縮係数に匹敵する膨張収縮係数を有する材料製である請求項２記載の歯科用シリンジ。
【請求項４】
前記後部が前記バレルの内部孔に適合する大きさである、細長いクレードルを含み、前記細長いクレードルが半円筒形であり、前記半円筒形クレードルの内面が前記バレルの内面に一致する請求項２記載の歯科用シリンジ。
【請求項５】
前記半円筒形クレードルが、前記バレルのプラスチック中に埋封された対立配置された側方突出タブを含む請求項４記載の歯科用シリンジ。
【請求項６】
前記半円筒形クレードルがその底部に形成された開口を有する請求項４記載の歯科用シリンジ。
【請求項７】
歯に歯科用材料を供給するための歯科用シリンジであって、プラスチックバレルが前端部と後端部とを有し、前記バレルがそれを貫通する孔を有し、ハンドルが前記バレルにその後端部に隣接して結合し、前記バレル軸に実質的に垂直に伸び、プランジャーが前記バレル内に往復動可能に嵌入されており、前記プランジャーが前記バレルの後端部を越えて伸び、レバーが前記ハンドル部分との相対的運動のためにピボット可能に設けられ、それによって前記バレルの後端部を越えて伸びるプランジャーの端部が前記レバーと係合し、カートリッジホルダーが前記バレルの前端部に結合し、前記カートリッジホルダーが後部と前方伸長カートリッジシートとを有し、前記カートリッジホルダーの後部が前記プラスチックバレルの前端部において前記プラスチックバレルの材料中に埋封され、前記カートリッジシートが前記バレルの前記前端部から前方に伸長し、前記カートリッジシートがその前進端部においてインターンドフランジで終わり、前記フランジがその上端部において開放するＵ形状ノッチを有し、前記ノッチがそれによって収納するのに適したカートリッジ部分の直径と同じ大きさの上端部の幅を有する歯科用シリンジ。
【請求項８】
前記インターンドフランジが前記プラスチックバレルの前端部から前方に間隔を置いて配置される請求項７記載の歯科用シリンジ。
【請求項９】
歯科用シリンジと、歯科用材料を含有するための使い捨て式カートリッジの組合せであって、
カートリッジがその１端部に隣接して側方突出カラーと、その他端部に結合した放出ノズルとを有するボディ部分を含み、前記カラーが前記カラーの中間部分の周囲に配置された溝を有し、前記シリンジが前端部と後端部とを有するプラスチックバレルを含み、前記バレルがそれを貫通する孔を有し、ハンドルがバレルの後端部に隣接してバレルに結合し、前記バレルの軸に垂直に伸び、プランジャーが前記バレルの前記孔内に往復動可能に嵌入されており、前記プランジャーが前記バレルの後端部を越えて伸びる端部を有し、レバーが前記ハンドルに関してピボット可能に設けられ、前記プランジャーの前記端部が前記レバーと係合して配置され、カートリッジホルダーが前記バレルの前端部に結合し、前記カートリッジホルダーが後部と前方伸長カートリッジシートとを有し、前記カートリッジシートが前記プラスチックバレルの前端部を越えて突出し、前記後部が前記プラスチック材料中に埋封され、前記カートリッジシートが前記プラスチックバレルの前方に間隔を置いて配置されたインターンドフランジを有し、前記フランジ中に開放端部ノッチが形成され、前記ノッチが前記カートリッジシートに前記カートリッジを保持するために前記カートリッジフランジ中の前記溝の直径を受容するのに適したサイズの幅をその開放端部に有する歯科用シリンジとそのためのカートリッジ。
【請求項１０】
請求項９記載の、歯科用シリンジと、歯科用材料を含有するための使い捨て式カートリッジとの組合せであって、前記カートリッジホルダーの前記後部が半円筒形クレードルを画定し、前記クレードルの内面が前記孔の表面と一致し、側方突出タブが前記プラスチック材料中に埋封されるように前記タブが前記クレードルに結合し、前記クレードルがその底部に形成された開口を有し、この開口が前記クレードルを前記バレルの前端部に固定するために前記プラスチックバレルの材料を充填するのに適した開口を有する歯科用シリンジとそのためのカートリッジ。
【発明の詳細な説明】
発明の属する技術分野
本発明はシリンジとそのためのカートリッジに関し、さらに詳しくは、歯治療操作に用いられる多様な種類の歯科用材料を含むために適した、歯科用シリンジと歯科用カートリッジに関する。
背景技術
多様な種類の歯科用材料が１回量カプセル又はカートリッジにパッケージされる。例えば軽質活性化複号樹脂材料のような単一成分歯科用材料が、米国特許第3581399号、第4963093号、第5122057号、第4391590号及び第4767326号に開示されている種類の１回量カプセルにパッケージされている。これらの特許化カプセル及びこれらと同様な他のカプセルは、一般にその１端部を囲むカラー又はフランジと、その他端部に接続した、ある角度に曲がった放出ノズルとを有する円筒形ボディ部分を有することを特徴とする。このようなカプセルは、米国特許第3581399号、第4198756号及び第5125836号に開示されている種類の歯科用シリンジに用いるために適する。このような先行技術（prior known）シリンジの他の変形は、米国特許第4295828号、第4330280号及び第4384853号に開示されている。これらのシリンジは一般に、米国特許第4198756号に開示されているようなスロット付きブリーチ開口バレル又は米国特許第第4330853号に開示されているようなスナップ嵌めブリーチ開口を端部に有するバレルを含むオールプラスチックシリンジとして特徴づけられる。例えばアマルガム、ガラスイオノマー等のような、混合を必要とする他の歯科用材料（例えば、多成分材料）は、使用直前まで（until ready for use）分離して歯科用材料を含むボディ部分を特徴とする大きいカートリッジにパッケージされる。このようなカートリッジは、カラーの幅の中間に形成された周辺溝（circumscribing groove）を含む側方突出カラーを有する。このような拡大カートリッジは全体が金属製のラチェット型プランジャーを用いるアプリケータと共に用いられ、このプランジャーはハンドルの作動につれて徐々に前進して、カートリッジ内に入れられた材料を押し出す。このようなアプリケータは比較的複雑であり、製造するために費用がかかる。
発明の開示
発明が解決しようとする課題
本発明の目的は、例えばアマルガム、ガラスイオノマー型及びリン酸亜鉛材料のような多成分材料と、例えばカルボキシレート、酸化亜鉛等のような他のセメントとを予めパッケージした混合カートリッジと共に用いるために特に適用可能であり、構造が比較的簡単であり、周知のアマルガム又はガラスイオノマーアプリケータよりも実質的に安価に製造することができる改良シリンジを提供することである。
課題を解決するための手段
上記目的と、他の特徴及び利点とは、使用前に混合を必要とする多成分歯科用材料を含む混合カートリッジと共に用いるために特に適したシリンジ構造によって達成される。このシリンジ構造は、前端部と後端部とを有し、バレルの軸に垂直に伸びる、プラスチックバレルの後端部に隣接して結合したハンドルを有するプラスチックバレルを含む。ピボットレバー（pivoting lever）が作動的にハンドルに関して配置され、プラスチックバレルの孔に滑動可能に入れられた往復動プランジャーに係合するように配置される。このレバーはカムを有するか又はプランジャーが完全に引っ込められて、プランジャーの取り出し又はハンドルの開放なしに、カプセル若しくはカートリッジの容易な挿入を可能にするように傾斜する。本発明によると、後部と、前方伸長カートリッジシート部分とを有する金属製カートリッジホルダーがバレルの前端部に結合する。カートリッジホルダーの後部はプラスチックボディの材料中に埋封されたクレードルを、クレードルの内面がバレルの内部孔の一部になるように画定する。カートリッジシート部分はプラスチックバレルの前端部の前方に伸長し、プラスチックバレルの前端部から前方に間隔を置いて配置されたインターンド（inturned）フランジを含む。インターンドフランジは、開放端部がカートリッジフランジ中に形成された溝の直径に適応する大きさであるＵ形状ノッチを備える。この配置はカートリッジカラーの溝をインターンドフランジの溝に挿入することによってカートリッジが着脱可能に保持されるような配置である。溝の幅をインターンドフランジの厚さよりもやや大きいように釣り合わせると、カートリッジがインターンドフランジによって画定されるノッチ内に分離可能に保持されることができる。
発明を実施するための最良の形態
実施例
図面に関して、図１には、歯科用混合カートリッジ11と共に用いるための歯科用シリンジ10を示す。通常の構造である混合カートリッジ11は、歯科用材料を含むための溜め（reservoir）又は室を画定し、１端において開放しているボディ部分12を本質的に含む。ボディ部分12の周囲に開放端部に隣接して、側方に突出するフランジ又はカラー13が配置される。カラー13の幅の中間に、図２に最も良く見られるように、溝14が形成される。カートリッジボディ部分の他端部には、放出ノズル15が配置される。一般に、ノズル15は適当な作用角度に曲がることができるように、容易に撓むことができるように形成される、及び／又はカートリッジボディ部分の長軸に関して適当な作用角度を与えるために角度をなして配置されるように形成されることができる。ボディ部分12の開放端部が交換可能なプラグによってシールされることは理解されよう。
このような混合カートリッジは一般に、カートリッジが使用されるまで、分離状態で維持される２種以上の成分を含むような形状及び大きさであり、使用時にカートリッジをアジテータ中に挿入して、カートリッジ中に含まれる材料成分の混合を行う。このようなカートリッジは、使用前にカートリッジ内での使用現場混合を必要とする、種々なアマルガム型歯科用材料、ガラスイオノマー及び他の多成分歯科用材料をパッケージするために用いられている。このようなカートリッジが例えばインプレッション材料、複合体等のような、注入操作によって最も良く適用される１成分歯科用材料をパッケージするためにも使用可能であることも考えられる。
図１に関しては、上述した種類の混合カートリッジ11と共に用いるために特に適する改良シリンジ構造を示す。図示するように、シリンジ10は、プラスチックバレル16の軸に実質的に垂直に配置されたハンドル17と一体成形されたプラスチックバレル16を有する成形プラスチックシリンジを含む。図示した実施態様におけるシリンジのハンドル17はバレル16を越えて又はバレル16上に伸びて、以下で説明するようなピボットヒンジ結合と、付加的なフィンガーレスト（finger rest）とを与える。
バレル16は、バレル16を貫通する内部孔16Aを備える。従って、バレルは前端部16Bと、ハンドル17で終わる後端部16Cとを有する。バレル16の孔16A内にはプランジャー18が往復動できるよう（reciprocally）に嵌入される。プランジャー18はその前端部にリジュースドエジェクター（reduced ejector）部分18Aを備え、これはカートリッジの開放端部をシールするプラグと係合して、シリンジの始動時にカートリッジから材料を押し出すためにプラグを転置させるために適する。
プランジャー18に関して横断方向に伸びるレバー20がピボットピン19を中心としてハンドル17にピボット結合する。図示するように、レバー20の上端部には、バレル上に突出するハンドル部分の相補的リーフ（complementary leaves）17Aを挿入される複数のスペースドリーフ（spaced leaves）20Aが備えられる。この配置は、プランジャー18Bの後端部がレバー20に対してベアリング関係に配置され、ハンドルとレバーとを圧搾すると、プランジャーがバレル16の前端部方向に前進して、カートリッジ11のプラグに係合して、歯科用材料をカートリッジから押し出すような配置である。プランジャーの後部の周囲にはコイルスプリング21が配置され、レバー20への圧搾圧力が開放されると、スプリングバイアスをそれに与えて、プランジャーとレバーとを非作動位置に戻し、プランジャーを負荷部位（loading area）から撤退させる。
本発明によると、カートリッジホルダー22がバレルの前端部に結合する。カートリッジホルダー22は、例えばステンレス鋼又は他の硬質金属のような、適当な金属から形成される金属スタンプ（stamping）を含む。このカートリッジホルダーは後部22Aと前方伸長シート部分22Bとを含む。図示するように、後部22Aは一般に半円筒形であり、バレル16の孔16Aの前端部内に現場で成形されるのに適するクレードルを画定する。後部22Aは後部22Aの対立端部に隣接して配置された対立側方突出タブ23をも備える。クレードル22Aの底部は開口24をも備える。
この配置は、カートリッジホルダー22の後部22Aがバレルの前端部内で現場で成形されて、クレードルの内面Ｓが孔16Aの内面に一致して連続した、中断しない孔を形成するような配置である。図２と３に最も良く見られるように、カートリッジホルダー22の後部22Aがプラスチックバレル16の材料中に埋封される。図３と５に関しては、側方突出タブ23がプラスチック材料中に成形され、バレルの成形中にクレードルの開口24中にプラスチック材料が流入して、バレル16の前端部にカートリッジホルダー22を確実に一体結合させることか認められる。
バレル16の前端部から前方に、カートリッジホルダー22のカートリッジシート部分22Bが突出する。図示するように、カートリッジシート部分22Bの前進端部（foward end）は前面インターンドフランジ25に終わり、これはその上端部において開放するＵ形ノッチ25Aを備える。本発明によると、ノッチ25Aの上端部の“w"はカートリッジのカラー13に形成された溝14の直径に比べて実質的に等しいか又はやや大きい。インターンドフランジ25の厚さは溝14の幅よりもやや狭い。この配置は、カートリッジカラー13の溝14内にフランジ25のインターンドエッジが受容されるように、単にカートリッジをカートリッジホルダー中に挿入することによって、カートリッジ11が分離可能に固定されるような配置である。図２に最も良く見られるように、カートリッジはカートリッジホルダー22によってバレルの孔16A及びプランジャー18と整列して固定保持される。
図１、６及び７に示すように、シート部分22Bは前面フランジ25と後部又はクレードル部分22Aとの間で内部に先細りになる。前面フランジ25と後部22Aとの間の空間は、図２に示すように、溝14の後方にカラー部分を収容するために充分である。
上述したカートリッジホルダーによって、カートリッジが容易に挿入され、カートリッジホルダーから便利にかつ簡単なやり方で取り出されうることは明らかである。バレル16と一体成形された金属カートリッジホルダー22はまた、バレルの前端部に大きい強度をも与える。このようにして、上記構造は全プラスチック構造のシリンジバレルアセンブリが今までに経験したような連続使用期間後にバレルの前端部に発生する破損又は破壊をもたらす応力点又はプラスチック疲労点を除去する。
本明細書に述べる歯科用シリンジは患者の交差汚染から保護するためにオートクレーブ処理可能である必要があるので、ホルダー22とバレル16との間の機械的結合がシリンジの反復オートクレーブ処理に耐えることができるように、金属ホルダー22とプラスチックバレル16との間の膨張係数と収縮係数とが実質的に等しいことが不可避である。このことは、シリンジ10のプラスチック部分を完全芳香族ポリエステルプラスチックから形成することによって、最も良く達成される。このようなプラスチックの１種はVectra液晶ポリマーである。−50℃〜200℃におけるこのようなプラスチックの熱膨張は無視できると認められなければならない。オートクレーブ処理温度は約270゜F（132.2℃）であり、沸点よりも約60゜F（15.6℃）高い温度であり、この温度は−50℃〜200℃の間に充分含まれ、このようなオートクレーブ処理温度におけるステンレス鋼の公称熱膨張にこのようなプラスチックを容易に適合させる。
レバー20をハンドル17方向に圧搾するときのピンチング（pinching）を避けるために、適当な停止手段を設けてレバーの動きをハンドルに関して制限することができる。このような停止手段は、ハンドルとレバーとから突出してそれらの相対的運動を阻止する、整列した相補的なアバットメント（abutment）26,27の形状であることができる。従って、レバー20を圧搾すると、レバーから突出するアバットメント27がハンドルのアバットメント26と係合して、レバーとハンドルとの隣接面の間の完全な接触又は閉鎖を防止する。さもないと、完全な接触又は閉鎖が操作者の手を挟むことになる。
本発明を図示した実施態様に関して説明したが、変化及び改良が本発明の範囲から逸脱せずになされうることは当業者によって容易に理解され、認識されるであろう。
【図面の簡単な説明】
図１は、本発明を具体化する歯科用シリンジと使い捨て式カートリッジとの透視分解組立図である。
図２は、適所にカートリッジを含む、図１のライン２−２に沿ったプラスチックバレルとカートリッジホルダーの詳細な断面側面図である。
図３は、図４のライン３−３に沿ったプラスチックバレルとカートリッジホルダーの断面平面図である。
図４は、本発明を具体化するシリンジの断片的な前端部図である。
図５は、図３のライン３−３に沿った断面図である。
図６は、カートリッジホルダー細部の平面図である。
図７は、図６のカートリッジホルダー細部の側面図である。
図８は、図６のカートリッジホルダー細部の前端部図である。
図９は、図７のライン９−９に沿った断面図である。
符号の説明
10        歯科用シリンジ
11        歯科用混合カートリッジ
12        ボディ部分
13        フランジ又はカラー
14        溝
15        ノズル
16        プラスチックバレル
16A      内部孔
17        ハンドル
18        プランジャー
18A      リジュースドエジェクター部分
19        ピボットピン
20        レバー
21        コイルスプリング
22        カートリッジホルダー
23        突出タブ
24        開口
【図１】
0003547134.tif 000002
【図２】
0003547134.tif 000003
【図８】
0003547134.tif 000004
【図３】
0003547134.tif 000005
【図４】
0003547134.tif 000006
【図５】
0003547134.tif 000007
【図６】
0003547134.tif 000008
【図７】
0003547134.tif 000009
【図９】
0003547134.tif 000010